(57)【要約】      （修正有）【課題】コンテンツを電子的に発行するためのシステム及び方法を提供する。【解決手段】方法は、コンテンツ選択を受信するステップ、及びコンテンツを割り当てられた権利の選択を受信するステップを備える。また、方法は、一又は複数のタグの選択を受信するステップ、及びコンテンツを割り当てられた権利及びタグに関連付け、コンテンツのセキュリティ整備されランク調整された検索結果を可能にするステップも含む。【選択図】図６
2017199390.tif 000002
【特許請求の範囲】
【請求項１】
コンテンツ選択を受信するステップ、
コンテンツに割り当てられた権利の選択を受信するステップ、
一又は複数のタグの選択を受信するステップ、及び
コンテンツを割り当てられた権利及びタグと関連付けて、コンテンツのセキュリティ整備されランク調整された検索結果を可能にするステップを含む、方法。
【請求項２】
タグは、コンテンツが対象とされる規制、供給者タグ、制御タグ、又は個人のタグのうちの一又は複数に関連付けられる、請求項１に記載の方法。
【請求項３】
割り当てられた権利は、コンテンツにアクセス可能とされるコンテンツ所有者、個人又は団体のうちの少なくとも一を含む、請求項１に記載の方法。
【請求項４】
コンテンツを割り当てられた権利及びタグに関連付けるステップは、コンテンツのコンテキストにウエイトを置いた検索結果を可能にする、請求項１に記載の方法。
【請求項５】
コンテンツをスキャニングするステップ、及び第一コンテンツ関連識別子を生成するステップをさらに含む、請求項１に記載の方法。
【請求項６】
コンテンツが以前に発行されたことがあるかを判定すべく、第一のコンテンツ関連識別子が他のコンテンツ関連識別子の一と実質的に同一であるかを判定するために、第一のコンテンツ関連識別子を他のコンテンツ関連識別子と比較するステップをさらに含む、請求項５に記載の方法。
【請求項７】
コンテンツを発行するステップをさらに含む、請求項１に記載の方法。
【請求項８】
コンテンツにアクセス可能とされるコンテンツ所有者、個人、又は団体の一又は複数の精度の確認を受信した後に、コンテンツが発行されるとする、請求項３に記載の方法。
【請求項９】
コンテンツにアクセス可能とされる団体は、エンティティのアメリカ人従業員、エンティティの非アメリカ人従業員、エンティティの非従業員、又は限定された分配リストから選択された個人のうちの一又は複数を含む、請求項３に記載の方法。
【請求項１０】
少なくともコンテンツ所有者又はコンテンツ発行者がコンテンツを修正することを可能にするステップをさらに含む、請求項３に記載の方法。
【請求項１１】
コンテンツ所有者、コンテンツ修正者、又はコンテンツ発行者のうちの一又は複数に基づき、コンテンツに索引をつけるステップをさらに含む、請求項３に記載の方法。
【請求項１２】
規制は、一又は複数の輸出規制を含む、請求項２に記載の方法。
【請求項１３】
一又は複数の識別子を選択されたコンテンツ及び他のコンテンツと関連付けることにより、コンテンツを他のコンテンツとグループ化するステップをさらに含む、請求項１に記載の方法。
【請求項１４】
コンテンツが対象とされる規制に基づき、個人又は団体によるコンテンツへのアクセスを実質的に阻止するステップをさらに含む、請求項２に記載の方法。
【請求項１５】
コンテンツの選択、コンテンツに割り当てられた権利の選択、及び一又は複数のタグを受信するアクセス装置であって、割り当てられた権利は、コンテンツにアクセス可能とされるコンテンツ所有者、個人又は団体のうちの少なくとも一、コンテンツが対象とされる一又は複数の規制に関連付けられたタグ、供給者タグ、制御タグ、又は個人のタグを含むことを特徴とするアクセス装置、及び
コンテンツを割り当てられた権利及び一又は複数のタグに関連付けて、コンテンツのセキュリティ整備されランク調整された検索結果を可能にするプロセッサを備える、装置。
【発明の詳細な説明】
【技術分野】
【０００１】
本開示は、コンテンツを電子的に発行するためのシステム及び方法に関する。
【背景技術】
【０００２】
コンテンツは、他者がそのコンテンツにアクセス及び／又は閲覧できるように、時に電子的に発行される。しかしながら、多くの既知のシステムで、コンテンツはしばしば複数回発行され、非効率的な記憶の原因となる。また、刊行物の多数の複製を記憶することにより、どのドキュメントが最新バージョン（すなわち、公式のソースドキュメント）であるか、又はドキュメントのどのコンテキストが使用されるのかについて、混乱を招くかもしれない。さらに、既知の発行システムでは、関連ランクが提供できない、又はコンテンツの規制配信が提供できない。
【発明の概要】
【課題を解決するための手段】
【０００３】
実施例の方法は、コンテンツ選択を受信するステップ、及びコンテンツに割り当てられた権利の選択を受信するステップを含む。また、方法は、一又は複数のタグの選択を受信するステップ、及びコンテンツを割り当てられた権利及びタグに関連付けコンテンツのセキュリティ整備されランク調整された検索結果を可能にするステップも含む。実施例の装置は、コンテンツの選択、コンテンツに割り当てられた権利の選択、及び一又は複数のタグを受信するアクセス装置を備える。割り当てられた権利は、コンテンツにアクセス可能とされるコンテンツ所有者、個人又は団体のうちの少なくとも一を含む。タグは、コンテンツが対象とされる規制、供給者タグ、制御タグ、又は個人のタグの一又は複数に関連付けられる。また、装置は、コンテンツを割り当てられた権利及び一又は複数のタグと関連付けて、コンテンツのセキュリティ整備されランク調整された検索結果を可能にするプロセッサも備える。実施例の装置は、コンテンツの選択、コンテンツに割り当てられた権利の選択、及び一又は複数のタグを受信するアクセス装置であって、割り当てられた権利は、コンテンツにアクセス可能とされるコンテンツ所有者、個人又は団体のうちの少なくとも一、コンテンツが対象とされる一又は複数の規制に関連付けられたタグ、供給者タグ、制御タグ、又は個人のタグを含むことを特徴とするアクセス装置、及びコンテンツを割り当てられた権利及び一又は複数のタグに関連付けて、コンテンツのセキュリティ整備されランク調整された検索結果を可能にするプロセッサを備え、プロセッサは、コンテンツが以前に発行されたことがあるかを判定するために、コンテンツを他のコンテンツと比較し、且つ追加的にコンテンツを他のコンテンツとグループ化する。
【０００４】
実施例の有形機械アクセス可能媒体は、その媒体上に記憶された命令を含んでおり、実行時に、機械に、コンテンツ選択を受信させ、且つコンテンツに割り当てられた権利の選択を受信させる。割り当てられた権利は、コンテンツにアクセス可能とされるコンテンツ所有者、個人又は団体のうちの少なくとも一を含む。また、実施例の有形機械アクセス可能媒体は、媒体上に記憶された命令を含んでおり、実行時に、機械に、一又は複数のタグの選択を受信させる。タグは、コンテンツが対象とされる規制、供給者タグ、制御タグ、又は個人のタグのうちの一又は複数に関連付けられる。さらに、実施例の有形機械アクセス可能媒体は、媒体上に記憶された命令を含んでおり、実行時に、機械に、コンテンツを割り当てられた権利及びタグに関連付けさせ、コンテンツのセキュリティ整備されランク調整された検索結果を可能にする。さらに、実施例の有形機械は、その媒体上に記憶された命令を含んでおり、実行時に、機械に、コンテンツ選択を受信し、及びコンテンツに割り当てられた権利の選択を受信し、割り当てられた権利は、コンテンツにアクセス可能なコンテンツ所有者、個人、又は団体のうちの少なくとも一を含み、一又は複数のタグ、コンテンツが対象とされる一又は複数の規制に関連付けられたタグ、供給者タグ、制御タグ、又は個人のタグの選択を受信し、且つコンテンツを割り当てられた権利及びタグに関連付け、コンテンツのセキュリティ整備されランク調整された検索結果を可能にする。実行時に、命令は、機械に、コンテンツをスキャニングさせ、且つ第一のコンテンツ関連識別子を生成させ、且つ、コンテンツが以前に発行されたかを判定するために、機械に、第一のコンテンツ関連識別子を他のコンテンツ関連識別子と比較させる。
【０００５】
ここで論じられる特徴、機能及び利点は、種々の実施形態で単独で達成可能であるか、以下の説明及び図面を参照してさらなる詳細が理解されるであろう別の実施形態で組み合わせることが可能である。
【図面の簡単な説明】
【０００６】
【図１】ここで開示される実施例を実施するために使用される、実施例のシステムの図である。
【図２】ここで開示される実施例を実施するために使用される、実施例のユーザインターフェースの図である。
【図３】ここで開示される実施例を実施するために使用される、実施例のユーザインターフェースの図である。
【図４】ここで開示される実施例を実施するために使用される、実施例のユーザインターフェースの図である。
【図５】ここで開示される実施例を実施するために使用される、実施例のユーザインターフェースの図である。
【図６】ここで開示される実施例を実施するために使用される、実施例の方法である。
【図７】ここで開示される実施例を実施するために使用される、実施例のワークフローである。
【図８】ここで開示される実施例を実施するために使用される、セキュリティ及び／又はアクセス権の種々の層を示す概略図である。
【図９】ここで開示される実施例を実施するために使用される、実施例のワークフローである。
【図１０】ここで開示される実施例を実施するために使用される、実施例のユーザインターフェースの図である。
【図１１】ここで開示される実施例を実施するために使用される、実施例のユーザインターフェースの図である。
【図１２】ここで開示される実施例を実施するために使用される、実施例のユーザインターフェースの図である。
【図１３】ここで開示される任意の又はすべての実施例の方法及びシステムを実施するために使用及び／又はプログラミングされる、実施例のプロセッサプラットフォームの概略図である。
【発明を実施するための形態】
【０００７】
上述の図面及び以下の詳細な説明において、いくつかの実施例が示される。これらの実施例について述べる際に、類似又は一致する符号は、同一又は類似の要素を示すために使用される。これらの図面の縮尺比は必ずしも一定ではなく、これらの図面のいくつかのフィーチャ及びビューは、明瞭化及び簡潔化のために、縮尺比または概略図において誇張され示されることもある。さらに、いくつかの実施例が、本明細書全体で述べられる。任意の実施例からの任意のフィーチャは、他の実施例からの他のフィーチャに含まれ、他のフィーチャと交換され、又はそうでなければ他のフィーチャと組み合わせることができる。
【０００８】
ここで開示される実施例は、コンテンツを電子的に発行するためのシステム及び方法に関する。コンテンツは、一又は複数のファイル、ドキュメント、ＵＲＬと関連付けられる。ここで開示される実施例を使用して、コンテンツは複数回発行される（すなわち、重複される、複製される、など）ことが実質的に阻止され、効率的で確実なコンテンツ記憶が可能となる。また、ここで開示される実施例により、検索結果はコンテキストにウエイトが置かれ、これらの検索結果がセキュリティ整備された閲覧を提供可能にする（たとえば、そこへのアクセスが与えられた者によってのみ、コンテンツが閲覧可能となる）。ここで開示される実施例のグラフィカルインターフェースを使用して、ユーザ（たとえば、発行者）は、発行されるコンテンツを選択し、選択されたコンテンツがグループ化されるかどうかを示すことができる。もしコンテンツがグループ化されるのであれば、システムは、識別子及び／又はタグを生成し、且つコンテンツと関連付けることにより、コンテンツ（たとえば、種々のドキュメント、種々のＵＲＬ）を関連付ける。
【０００９】
コンテンツが複数回発行されないことを確実にするため、システムは選択されたコンテンツを審査及び／又はスキャニングし、第一のコンテンツ関連識別子（たとえば、ハッシュコード）を生成する。第一のコンテンツ関連識別子は、次いで、同じコンテンツがすでに発行されているかを判定するために、他のコンテンツ関連識別子と比較される。他のコンテンツ関連識別子は、発行されたコンテンツに関連付けられ、データベースに記憶される。比較に基づき、もしコンテンツがすでに発行されたとシステムが判定すれば、ユーザには、グラフィカルユーザインターフェース（たとえば、ダッシュボードタイプのインターフェース）を使用して、通知される。しかしながら、もしコンテンツがまだ発行されていないとシステムが判定すれば、ユーザは発行工程に進む。
【００１０】
実施例のインターフェースを使用して、ユーザは権利をコンテンツに割り当て（たとえば、アプリケーションにファイルレベルのセキュリティを提供する）、コンテンツが輸出規制され、及び／又は異なる又は他の制限を含む場合には、指示される。また、ユーザは、コンテンツ（たとえば、分配されたアクセスアドミニストレーション）のアクセス（たとえば、閲覧）が許されるだろう個人及び／又は団体を識別及び／又は選択することもできる。たとえば、選ばれた個人及び／又は団体は、エンティティのアメリカ人従業員、エンティティの非アメリカ人従業員、エンティティの及び／又は限定された分配リストから選択された非従業員とすることができる。ユーザは、また、コンテンツの所有者（たとえば、コンテンツを形成した人物及び／又はビジネスエンティティ）及びコンテンツ所有者に通知されるかを識別することもできる。コンテンツを発行するユーザは、所有者としてもよく、そうでなくてもよい。いくつかの実施例では、所有者及び／又は発行者は、発行前に及び／又は発行後に、コンテンツを編集又は修正（たとえば、コンテンツの一又は複数の部分を追加し、変更し、削除する）が許される。
【００１１】
ここで述べられる実施例のインターフェースを使用して、ユーザ及び／又はシステムは、一又は複数のタグ、識別子、及び／又は外部のメタデータをコンテンツに追加し、コンテンツの配信（たとえば、動的コンテンツ配信）を促進し、及び／又はコンテンツを識別可能に（たとえば、輸出規制コンテンツ識別）、検索可能に、などとする。たとえば、メタデータ（たとえば、内部の、外部の）及び／又はメタデータの種類は、一又は複数の検索アルゴリズム、関連アルゴリズム及び／又はランク調整（たとえば、主題エキスパート適合構造メタデータ関連ランク調整）の組み合わせを使用して、ランク調整及び／又は修正された検索結果を可能にする。コンテンツは、ファイルネーム及び／又は一又は複数の制御タグ、供給者タグ、ピープルタグ、フリーテキストタグ、コンテンツ種類のタグ、など、に基づき調整されたランクである。コンテンツは、発行のプロパティ及びコンテンツ、コンテンツ所有者、コンテンツ修正者、コンテンツ発行者などにより、索引を付けることができる。
【００１２】
いくつかの実施例では、ユーザは、コンテンツが武器国際取引に関する規則（ＩＴＡＲ）及び／又は米国輸出規則（ＥＡＲ）の対象であるかどうか、もしそうであるならば、輸出規制値及び／又は司法権利上の分類決定（Ｊｕｒｉｓｄｉｃｔｉｏｎａｌ  ａｎｄ  Ｃｌａｓｓｉｆｉｃａｔｉｏｎ  Ｄｅｔｅｒｍｉｎａｔｉｏｎ  （ＪＣＤ））は何かに関する一又は複数のタグを作成することができる。ユーザ及び／又はシステムは、制御タグ、供給者タグ及び／又はピープルタグを追加し及び／又は検索することができる。制御タグは、オペレーション、コンソーシアム、大学研究、グローバルテクノロジーなどに関する専門語を含むことができる。供給者タグは、企業及び／又は大学エンティティ名を含むことができる。それぞれのタグを使用して識別された供給者及び／又はピープルは、コンテンツを選択されたピープル及び／又は供給者と関連するものとして識別できる。ユーザは、次いで、概要が完全で及び／又は正しいと再検討及び確認した後に、コンテンツを発行する。概要は、コンテンツの名前、コンテンツ所有者及び／又は発行者の名前、割り当てられた権利、追加されたタグなどを含むことができる。
【００１３】
図１は、ここで開示される実施例が採用される実施例のシステム１００を示す。実施例のシステム１００は、データストア又はソース（たとえば、コンテンツ事業主）１０２及びシステム（たとえば、検索エンジン）１０４を備え、それらのどちらか一方は図１３のプロセッサシステム１３００などのプロセッサを使用して実施することができる。データソース１０２及システム１０４のうちの一方又は両方が、アクセス装置（たとえば、可視センター）１０６、１０８及び／又は１１０と相互作用することができる。いくつかの実施例では、データソース１０２及び／又はシステム１０４は、単独のシステム（たとえば、サーバファーム）で実施可能である。いくつかの実施例では、データソース１０２及び／又はシステム１０４は、アクセス装置１０６、１０８及び／又は１１０で全体的に又は部分的に実施することができる。データソース１０２及び／又はシステム１０４は、ネットワーク（たとえば、データポータル、シェアポイントなど）１１２を介して、アクセス装置１０６、１０８及び／又は１１０と通信する（たとえば、データを送受信する）ことができる。アクセス装置１０６、１０８及び／又は１１０は、ネットワーク１１２を介して、データソース１０２及び／又はシステム１０４と通信する（たとえば、データを送受信する）ことができる。たとえば、インターネット、イントラネット、プライベート又はパーソナルネットワーク、有線又は無線ローカルエリアネットワーク、有線又は無線ワイドエリアネットワーク、携帯電話ネットワーク及び／又は任意の他の適するネットワークにより、ネットワーク１１２を実施することができる。
【００１４】
アクセス装置１０６、１０８及び／又は１１０は、ワークステーション（たとえば、ラップトップ、デスクトップ、タブレットコンピュータ、モバイルデバイスなど）及び／又は図１３のプロセッサシステム１３００などのプロセッサを使用して、実施することができる。ここで開示される実施例を使用してユーザがコンテンツを発行できるように、アクセス装置１０６、１０８及び／又は１１０及びデータソース１０２及び／又はシステム１０４は、コンテンツが複数回発行されないことを確実にし、検索結果はコンテキストにウエイトを置き、これらの検索結果がセキュリティ整備されたビューを提供可能にするよう相互作用できる。たとえば、ユーザには、自由に入手でき、且つ興味のあるコンテンツの中で発行されたコンテンツのみが提示されてもよい。
【００１５】
アクセス装置１０６を使用してコンテンツを発行するために、ユーザは、発行される第一のファイル又はドキュメントを選択し、第一のドキュメントが他のドキュメントとグループ化されないことを示すことができる。コンテンツ関連識別子は、選択された第一ドキュメントの再検討及び／又はスキャニングに基づき生成される。コンテンツ関連識別子は、コンテンツがまだ発行されていないことを確実にするために、他のコンテンツ関連識別子と比較される。もしコンテンツがすでに発行されたと判定されると、ユーザに、アクセス装置１０６を介して通知される。
【００１６】
いくつかの実施例では、再検討、スキャニング、識別子生成及び／又は比較は、アクセス装置１０６を介して全体的に及び／又は部分的に実行することができる。他の実施例では、第一のドキュメントは、アクセス装置１０６からデータソース１０２及び／又はシステム１０４へ転送され、そこで、再検討、識別子生成及び／又は比較が全体的に及び／又は部分的に実行される。他のコンテンツ関連識別子は、発行されたコンテンツに関連付けられ、データソース１０２に記憶される。
【００１７】
アクセス装置１０６を使用して、ユーザは第一のドキュメントの制限（たとえば、輸出規制）、及び第一のドキュメントにアクセスを許されるであろう個人及び／又は団体を識別することができる。もし第一のドキュメントが輸出規制されるものとして、且つ非アメリカ人が第一のドキュメントを自由に入手できると識別されれば、データソース１０２、システム１０４及び／又はアクセス装置１０６は、ユーザにこのようなアクセスは許されないと通知することができる。アクセス装置１０６を使用して、ユーザは、第一のドキュメントのコンテンツ所有者、及び、たとえば、コンテンツ所有者に発行が通知されるかを識別することができる。
【００１８】
アクセス装置１０６を使用して、ユーザは、第一のドキュメントと関連付けられる一又は複数のタグを追加することができる。タグはコンテンツ配信を促進し、及び／又はコンテンツを識別可能及び／又は検索可能とする。タグは、輸出規制、規制、制御タグ、供給者タグ及び／又はピープルタグと関連してもよい。アクセス装置１０６を使用して、ユーザは、次いで、コンテンツ所有者、発行されるコンテンツ、割り当てられた権利及び／又は追加されるタグなどが完全で及び／又は正確であると確認した後に、第一のドキュメントを発行することができる。発行されたドキュメントは、データソース１０２及び／又はシステム１０４にアクセス可能である及び／又はそれらに記憶することができる。上述の例はアクセス装置１０６を使用して述べられるが、任意の他のアクセス装置１０８及び／又は１１０が代わりに使用されてもよい。また、３つのアクセス装置１０６、１０８及び１１０が示されるが、任意の他の数のアクセス装置が代わりに使用されてもよい（たとえば、１、２、４、５、など）。
【００１９】
図２は、ここで開示される実施例を実施するために使用される、ユーザインターフェース２００である。ユーザインターフェース２００により、ユーザは、発行されるコンテンツを選択することができる。ユーザインターフェース２００は、ユーザがコンテンツ（たとえば、一又は複数のファイル又ドキュメント、ＵＲＬ、など）を検索し、識別し及び／又は選択することを可能にするブラウザー２０２を備える。ユーザインターフェース２００は、選択されたコンテンツがリストエリア２０６に追加されることを可能にする追加アイコン２０４、及びユーザがリストエリア２０６から選択されたコンテンツの少なくともいくつかを削除することを可能にする削除アイコン２０８を備える。また、ユーザインターフェース２００は、発行者（たとえば、ユーザ）を識別する識別エリア２１０、コンテンツがグループ化されるか否か（たとえば、二以上のファイル、ドキュメントなどをグループ化する）をユーザが指示することを可能にするチェックボックス２１２、及び一又は複数の規制情報リンク２１４を含んでもよい。
【００２０】
操作の中で、プラウザー２０２を使用して、ユーザは、第一のファイル又はドキュメントを選択し、次いで、追加アイコン２０４を選択する（たとえば、クリックする）ことにより、第一のドキュメントをリストエリア２０６に追加することができる。ブラウザー２０２を使用して、ユーザは、追加アイコン２０４を選択することにより、リストエリア２０６に追加される第二のファイル又はドキュメントも選択することができる。もし第一及び第二のファイル又はドキュメントがグループ化されるなら、ユーザはチェックボックス２１２を選択する。リストエリア２０６に追加される追加的なドキュメントがない場合には、ユーザは次のアイコン２１６を選択することができる。別の方法では、もしコンテンツ発行に進まないことを選ぶなら、ユーザはキャンセルアイコン２１８を選択することができる。
【００２１】
いくつかの実施例では、コンテンツが複数回発行されないのを確実にするため、ユーザが追加アイコン２０４を選択した後に、関連システム（たとえば、システム１０４）はそれぞれの選択されたファイル又はドキュメントをスキャニングし、第一及び第二のコンテンツ関連識別子を生成する。また、第一及び第二のドキュメントがグループ化されるので、システム（たとえば、システム１０４）は、識別子を第一及び第二のドキュメントに関連付け、それらの関連性を示す。システムは、生成された識別子を他のコンテンツ関連の識別子と比較し、同じコンテンツがすでに発行されたかを判定する。比較に基づき、もしコンテンツがすでに発行されたとシステムが判定すれば、ユーザには、ユーザインターフェース２００及び／又は関連ポップアップウィンドーを使用して通知される。しかしながら、もしコンテンツがまだ発行されていないとシステムが判定すれば、ユーザは発行工程に進む。
【００２２】
図３は、ここで開示される実施例を実施するために使用される、別のユーザインターフェース３００である。ユーザインターフェース３００により、図２の実施例のユーザインターフェース２００を介して選択されたコンテンツに権利を割り当てることができる。図３の実施例のユーザインターフェース３００は、選択されたコンテンツがリストアップされる選択されたコンテンツリスト３０２を備えることができる。また、実施例のユーザインターフェース３００は、コンテンツ所有者エリア３０４及びアクセス権エリア３０５も備える。コンテンツ所有者エリア３０４は、コンテンツ所有者を識別可能とするコンテンツ所有者ブラウザー及び／又は識別子３０６、及びコンテンツ所有者が発行を通知されるかをユーザが示すことのできるチェックボックス３０８を備える。アクセス権エリア３０５は、誰がコンテンツのアクセス権を有するのかを示す複数のアイコンを有する。アイコンは、企業アメリカ人アイコン３１４、企業非アメリカ人アイコン３１６、非企業アイコン３１８及び限定された分配リストアイコン３２０を含むことができる。しかしながら、コンテンツへのアクセス権所持を選択可能な追加的な及び／又は異なるエンティティを表す追加的な及び／又は異なるアイコンは、特定のアプリケーションのニーズに合わせて提供される。実施例のユーザインターフェース３００は、発行されるコンテンツが一又は複数の規制（たとえば、輸出規制）によって管理されるかどうかの判定支援をユーザが選択できる一又は複数の規制リンク３２１も備えることができる。
【００２３】
操作において、ユーザは、コンテンツ所有者ブラウザー３０６を使用してコンテンツ所有者を識別することができ、且つコンテンツ所有者に発行及び／又は後続の修正が通知される場合には、チェックボックス３０８を選択することができる。また、ユーザは、一又は複数のアイコン３１４―３２０を選択することによって、どの個人、団体及び／又はエンティティがコンテンツへのアクセス権を持つか（たとえば、誰がコンテンツにアクセス及び／又はそれを閲覧できるか）も選択することができる。所有者及び／又はアクセス権を有する人々が識別されると、ユーザは次のアイコン３２２を選択することができる。別の方法では、ユーザは、図２の実施例のユーザインターフェース２００に戻るために戻るのアイコン３２４を選択することができ、または、もしユーザがコンテンツの発行に進まないことを選ぶなら、キャンセルアイコン３２６を選択することができる。
【００２４】
図４は、ここで開示される実施例を実施するために使用される、別のユーザインターフェース４００である。図４の実施例のユーザインターフェース４００は、タグがコンテンツに追加され、コンテンツ配信の促進を可能にする。図４の実施例のユーザインターフェース４００は、選択されたコンテンツリスト４０２、保存日データセレクター４０３、及び対応するコンテンツが発行及び／又は報告される（たとえば、コンテンツはレポートとして指示される）ことを示すために選択可能なチェックボックス４０４を備える。また、実施例のユーザインターフェース４００は、規制エリア４０６、供給者エリア４０８、制御タグエリア４１０及び人物識別子エリア４１２を備える。
【００２５】
この実施例では、規制エリア４０６は、ＩＴＡＲラジオボタン及び／又はチェックボックス４１３、ＥＡＲラジオボタン及び／又はチェックボックス４１４、輸出規制値エントリーフィールド４１６、ＪＣＤエントリーフィールド４１８及び非輸出規制ラジオボタン及び／又はチェックボックス４２０を含む。供給者エリア４０８は、検索フィールド４２２を含み、ユーザが特定のエンティティ及びユーザ選択のエンティティ名のリストを含むエンティティリストエリア４２４を迅速に検索可能にする。また、供給者エリア４０８は、選択された企業エンティティを供給者リストエリア４２８に追加できる追加アイコン４２６、及びユーザがリストエリア４２８から一又は複数の選択されたエンティティを削除できる削除アイコン４３０を備える。供給者エリア４０８は、供給者のリストに以前リストアップしされていない供給者をユーザが追加できるアイコン４３１も含む。制御タグエリア４１０は複数のタグ４３３を含み、それらは２の状態ボタンをクリックすることにより選択される。２の状態ボタンは、選択されると色が変わるボタンとすることができる。たとえば、選択されていない状態では、ボタンは青い輪郭線、青いレタリング及び白い塗りつぶしであり、選択された状態では、ボタンは白いレタリングの青い塗りつぶしである。エントリーフィールド４３２により、発行者が、発行されるコンテンツに関連付けられた一又は複数のフリーテキストのタグ（たとえば、発行者作成タグ）に入力できる。人物識別子エリア４１２は、検索フィールド及び／又はエントリーフィールド４３４を含み、コンテンツと関連付けられる人物をリストアップ及び識別する。
【００２６】
操作において、ユーザは、チェックボックス４０４を選択することにより、選択されたコンテンツのどれがレポートとして識別されるかを識別することができる。いくつかの例では、選択されないコンテンツは選択されたレポートに対する指示ドキュメントとすることができる。ユーザは、データを選択する及び／又はデータを規制エリア４０６のアイコン又はデータフィールドに追加することにより、もしあれば、何の制限がコンテンツに関連付けられるかを識別できる。ユーザは、供給領域４０８のアイコンを選択することにより、もしあれば、どの供給者がコンテンツに関連付けられるかを選択できる。ユーザは、データを選択する及び／又はデータをアイコン又は制御タグエリア４１０のデータフィールドに追加することにより、もしあれば、どの制御タグがコンテンツに関連付けられるかを選択することができる。ユーザは、データを選択する及び／又はデータを人物識別子エリア４１２のデータフィールドに追加することにより、もしあれば、どのピープルタグがコンテンツに関連付けられるべきかを選択することができる。タグが識別された後に、ユーザは次へのアイコン４３６を選択することができる。別の方法では、ユーザは、戻るのアイコン４３８を選択して図３の実施例のユーザインターフェース３００に戻ることができ、または、もしユーザがコンテンツの発行に進まないことを選ぶなら、キャンセルアイコン４４０を選択することができる。
【００２７】
図５は、ここで開示される実施例を実施するために使用される、別のユーザインターフェース５００を示す。図５の実施例のユーザインターフェース５００は、コンテンツが発行されるのに先立って、情報を確認可能にする。実施例のユーザインターフェース５００は、選択されたコンテンツ５０２、保存日５０４、規制５０６、割り当てられた権利（たとえば、コンテンツ所有者、アクセス権）５０８、及びタグ（たとえば、制御タグ、供給者タグ、フリーテキストタグ）５１０を識別する。リストアップされた情報が正確であると確認すると、ユーザは発行アイコン５１２を選択することができる。別の方法では、ユーザは、戻るのアイコン５１４を選択して図４の実施例のユーザインターフェース４００に戻ることができ、または、もしユーザがコンテンツの発行に進まないことを選ぶなら、キャンセルアイコン５１６を選択することができる。
【００２８】
図１のシステム１００などのここで開示される実施例を実施する方法が図６に示されているが、一又は複数の要素、図６に示される工程及び／又は装置は、任意の他の方法で、組み合わされ、分割され、再配置され、省略され、除去され及び／又は実施されてもよい。さらに、データソース１０２、システム１０４、アクセス装置１０６及び／又は、より一般的に、図６の実施例の方法６００は、ハードウェア、ソフトウェア、ファームウェア及び／又はハードウェア、ソフトウェア及び／又はファームウェアの任意の組み合わせで実施することができる。それゆえ、データソース１０２、システム１０４、アクセス装置１０６及び／又は、より一般的に、図６の実施例の方法６００は、は、一又は複数の回路、プログラム可能なプロセッサ、特定用途向け集積回路（ＡＳＩＣ）、プログラム可能な論理デバイス（ＰＬＤ）及び／又はフィールドプログラム可能な論理デバイス（ＦＰＬＤ）などにより実施することができる。本特許の任意の装置又はシステムの請求の範囲は、システムは完全なソフトウェア及び／又はファームウェアの実施の範囲に及ぶと読めるが、データソース１０２、システム１０４及び／又はアクセス装置１０６のうちの少なくとも一は、例えばメモリ、ＤＶＤ、ＣＤ、ＢｌｕＲａｙなど、ソフトウェア及び／又はファームウェアを記憶する有形コンピュータ可読媒体を含むと、ここでは明確に定義される。さらに、図６の実施例の方法６００は、図６に示されたものに加え、又はそれらの代わりに、一又は複数の要素、工程及び／又は装置を備えることができ、任意の又はすべての示された要素、工程及び装置のうちの複数を備えることができる。
【００２９】
データソース１０２、システム１０４及び／又はアクセス装置１０６を実施するための実施例の方法６００を代表するフローチャートが、図６に示される。この例では、方法６００は、図１３に関連して以下で述べられる実施例のコンピュータ１３００で示されるプロセッサ１３０２などのプロセッサにより実行されるプログラムを含む。プログラムは、ＣＤ−ＲＯＭ、フロッピーディスク、ハードドライブ、デジタル多用途ディスク（ＤＶＤ）、ＢｌｕＲａｙディスク、又はプロセッサ１３０２と関連付けられたメモリなどの有形コンピュータ可読媒体に記憶されたソフトウェアで実施することができるが、プログラム全体及び／又はその部分は、プロセッサ１３０２以外の装置によって代替的に実行することができ、及び／又はファームウェア又は専用のハードウェアで実施することができる。さらに、実施例のプログラムは、図６に示されたフローチャートを参照にして述べられているが、実施例のデータソース１０２、システム１０４及び／又はアクセス装置１０６を実施する多くの他の方法を代替的に使用することもできる。たとえば、ブロック実行の順番が変更されたり、及び／又は、述べられたブロックのうちの幾つかが変更されたり、省略されたり、又は組み合わされたりしてもよい。
【００３０】
上述のように、任意の継続時間に（たとえば、延長時間内に、永続的に、短時間に、一時的なバファリング期間に、及び／又は情報のキャッシング期間に）情報を記憶できる、例えば、ハードディスクドライブ、フラッシュメモリ、読出し専用メモリ（ＲＯＭ）、コンパクトディスク（ＣＤ）、デジタル多用途ディスク（ＤＶＤ）、キャッシュ、ランダムアクセスメモリ（ＲＡＭ）及び／又は任意の他の記憶媒体などの、有形コンピュータ可読媒体上に記憶されたコード化された命令（たとえば、コンピュータ可読命令）を使用して、図６の操作を実施することができる。ここで使用されるように、期間有形コンピュータ可読媒体は、任意の種類のコンピュータ可読記憶装置を含み、伝搬信号を除外すると明確に定義される。追加的に又は代替的には、任意の継続時間に（たとえば、延長時間内に、永続的に、短時間に、一時的なバファリング期間に、及び／又は情報のキャッシング期間に）情報を記憶できる、例えばハードディスクドライブ、フラッシュメモリ、読出し専用メモリ、コンパクトディスク、デジタル多用途ディスク、キャッシュ、ランダムアクセスメモリ及び／又は任意の他の記憶媒体などの、固定コンピュータ可読媒体上に記憶されたコード化された命令（たとえば、コンピュータ可読命令）を使用して、図６の操作を実施することができる。ここで使用されるように、期間固定コンピュータ可読媒体は、任意の種類のコンピュータ可読記憶媒体を含み、伝搬信号を除外すると明確に定義される。ここで使用されるように、「少なくとも」という表現が請求の範囲の前置きで移行表現として使用されるとき、「含む」という言葉と同様に、それには容易に変更可能である。それゆえ、前置きで移行表現として「少なくとも」を使用する請求の範囲は、請求の範囲で明確に列挙されているものの他に要素を含むことができる。
【００３１】
ユーザはまず発行されるコンテンツを選択する（ブロック６０２）。コンテンツは単独のファイル、多数のファイル及び／又は一又は複数のＵＲＬ内にありうる。コンテンツが再検討され、関連するコンテンツ識別子が生成される（ブロック６０４）。コンテンツ識別子が他のコンテンツ識別子と比較され、コンテンツが以前に発行されたものであるかが判定される（ブロック６０６）。もしコンテンツが以前に発行されたものであるなら、ユーザにはコンテンツが以前に発行されたことが通知される（ブロック６０７）。もしそうでなければ、ユーザは選択されたコンテンツがグループ化されるかを判定し（たとえば、複数のファイルを関連付ける）（ブロック６０８）、もしそうであるなら、選択されたコンテンツはグループ化される（ブロック６１０）。
【００３２】
次いで、ユーザは何の権利がコンテンツに割り当てられるのかを判定し（ブロック６１２）、権利はブロック６１４でコンテンツに割り当てられる。割り当てられた権利は、コンテンツに関連付けられ、コンテンツを自由に入手でき、及び／又はコンテンツを閲覧できるコンテンツ所有者及び／又は個人及び／又は団体を識別することを含む。ユーザは、非アメリカ人が権利を割り当てられるかを示し（ブロック６１６）、もしそうであるなら、コンテンツは制限（たとえば、輸出規制）を含むかを示す（ブロック６１８）。もし非アメリカ人が権利を割り当てられ且つコンテンツが制限を含むことをユーザが示すなら、ユーザにはそのようなアクセスが認められないことが通知される（ブロック６２０）。
【００３３】
次いで、ユーザは、一又は複数のタグがコンテンツに追加されるかを判定する（ブロック６２２）。もしそうであるなら、一又は複数のタグはコンテンツに追加される（ブロック６２４）。タグは、ピープルタグ、制御タグ、保存日、フリーテキストタグ、コンテンツの種類及び／又は制限（たとえば、輸出規制される、輸出規制されないなど）を含んでもよい。ユーザは、次いで、コンテンツ及び関連データが正しいことを証明する（ブロック６２６）。たとえば、ユーザは、発行されるファイルが正しい、輸出規制ステータスが正しい、コンテンツ所有者が正しい、アクセス権が正しい、保存日が正しい及び／又はタグが正しいことを証明する。ユーザは、次いで、コンテンツをアクティブライブラリーに追加する（ブロック６２８）。
【００３４】
図７は、ここで述べられる実施例のシステムを使用して実施されるワークフロー７００を示す。一又は複数の要素、図７に示される工程及び／又は装置は、任意の他の方法で、組み合わされ、分割され、再配置され、省略され、除去され及び／又は実施されてもよい。ブロック７０２では、ユーザがプログラムを開始し、ブロック７０４では、ユーザが発行されるコンテンツを選択することができる。ブロック７０６では、ユーザが権利をコンテンツに割り当て、ブロック７０８では、ユーザが一又は複数のタグをコンテンツに追加することができる（たとえば、外部のメタデータ）。ブロック７１０では、ユーザが選択されたコンテンツ、割り当てられた権利、追加されたタグなどの精度を確認することができ、且つ、ブロック７１２では、ユーザがコンテンツをアクティブライブラリーに追加することができる。図示されたように、ユーザは、一又は複数のコンテンツ、分類、及び／又はカテゴリー、割り当てられた権利、追加されたタグ、及び／又は表示されたデータを定義及び／又はカスタマイズすることができる。さらに、図示されてはいないが、ユーザはコンテンツ及び関連付けられたフィールド（たとえば、タグなど）がデータ構造にどのように記憶されるかを定義及び／又はカスタマイズすることができる。それゆえ、ここで開示される実施例を使用して、ユーザ（たとえば、顧客）は、ユーザの特定の好み及び／又はニーズに基づき、ファイル、ドキュメント、ＵＲＬなどがどのように扱われ、所有され、表示され、発行され、記憶されるかなどをカスタマイズすることができる。
【００３５】
図８は、セキュリティ及び／又はアクセス権８００の種々の層を示す線図である。第一の層８０２はファイルレベルアクセス権に関連付けられ、第二の層８０４はシステムアクティビティ検査に関連付けられ、第三の層８０６は、コンテンツレベルアクセス権に関連付けられる。第四の層８０８は隔離／輸出規制に関連付けられ、第五の層８１０は外部メタデータと関連付けられ、第六の層８１２は発行されたコンテンツ及び／又は内部のメタデータに関連する。しかしながら、セキュリティ及び／又はアクセス権の追加的な及び／又は種々の層を表す追加的な及び／又は種々の層は、特定のアプリケーションのニーズに合うように提供することができる。
【００３６】
図９は、ここで述べられる実施例のシステムを使用して実施されるワークフロー９００を示す。一又は複数の要素、図９に示される工程及び／又は装置は、任意の他の方法で、組み合わされ、分割され、再配置され、省略され、除去され及び／又は実施されてもよい。ブロック９０２は発行工程に対応し、ブロック９０４はコンテンツがどのように記憶されるかに対応し、ブロック９０６はコンテンツがどのように検索されるかに対応し、ブロック９０８はコンテンツがどのように配信されるかに対応する。
【００３７】
図１０は、ここで開示される実施例を実行するために使用される、ユーザインターフェース１０００を示す。ユーザインターフェース１０００により、ユーザは、発行されるコンテンツを選択することができる。ユーザインターフェース１０００は、ユーザがコンテンツ（たとえば、一又は複数のファイル又はドキュメント、など）を検索し、識別し及び／又は選択することを可能にするブラウザー１００２を備える。また、ユーザインターフェース１０００は、ユーザが発行されるＵＲＬを識別する領域１００６、及びユーザが識別されたＵＲＬのディスプレー名をインプットするネーミングエリア１００８を含むＵＲＬ識別エリア１００４を含む。ユーザインターフェース１０００は、コンテンツがグループ化されるか否か（たとえば、２以上のファイル、ドキュメントなど）をユーザが示すことができるチェックボックス１０１０を含んでもよい。
【００３８】
操作において、プラウザー１００２を使用して、ユーザは、第一のファイル又はドキュメントを選択し、次いで、第一のドキュメントを選択する（たとえば、クリックする）ことにより、第一のドキュメントをリストエリア１０１２に追加する。ブラウザーＵＲＬ識別エリア１００６を使用して、ユーザは、領域１００６及び／又はネーミングエリア１００８でＵＲＬを識別し、且つ追加ＵＲＬアイコン１０１４を選択することによりリストエリア１０１２に追加されるＵＲＬを選択することもできる。もし第一及び第二のファイル又はドキュメントがグループ化されるなら、ユーザはチェックボックス１０１０を選択する。リストエリア１０１２に追加される追加的なドキュメントがない場合には、ユーザは次へのアイコン１０１６を選択することができる。別の方法では、コンテンツ発行に進まないことを選べば、ユーザはキャンセルアイコン１０１８を選択することができる。
【００３９】
いくつかの実施例では、ファイル、ドキュメント及び／又はＵＲＬがリストエリア１０１２に追加された後にコンテンツが複数回発行されないのを確実にするため、関連システム（たとえば、システム１０４）はそれぞれ選択されたファイル又はドキュメントをスキャニングし、第一及び第二のコンテンツ関連識別子を生成する。また、第一及び第二のドキュメントがグループ化されるので、システム（たとえば、システム１０４）は、識別子を第一及び第二のドキュメントに関連付け、それらの関連性を示す。システムは、生成された識別子を他のコンテンツ関連の識別子と比較し、同じコンテンツがすでに発行されたかを判定する。比較に基づき、もしコンテンツがすでに発行されたとシステムが判定すれば、ユーザインターフェース１０００及び／または関連ポップアップウィンドーを使用して、ユーザに通知される。しかしながら、もしコンテンツがまだ発行されていないとシステムが判定すれば、ユーザは発行工程に進む。
【００４０】
図１１は、ここで開示される実施例を実施するために使用される、別の実施例のユーザインターフェース１１００を示す。図１１の実施例のユーザインターフェース１１００により、コンテンツに追加されるタグがコンテンツ配信を促進可能にする。図１１の実施例のユーザインターフェース１１００は、選択されたコンテンツリスト１１０２、保存日セレクター１１０６、メニュー１１０８を含み、ドキュメントの種類が選択及び／又は識別される。この例では、ドキュメントは、レポート、クオードチャート、分析、コラボレーションプレーブック、ゲートレビュー又はサポート資料として識別することができる。また、実施例のユーザインターフェース１１００は、規制エリア１１１０、供給者エリア１１１２及び制御タグエリア１１１４も備えることができる。
【００４１】
この実施例では、規制エリア１１１０は、ＩＴＡＲラジオボタン及び／又はチェックボックス１１１６、ＥＡＲラジオボタン及び／又はチェックボックス１１１８、輸出規制値エントリーフィールド１１２０、ＪＣＤエントリーフィールド１１２２及び非輸出規制ラジオボタン及び／又はチェックボックス１１２４を含む。供給者エリア１１１２は、検索フィールド１１２６を含み、特定のエンティティ及びユーザ選択のエンティティ名のリストを含むエンティティリストエリア１１２８をユーザが迅速に検索できるようにする。供給者エリア１１１２は、選択された企業エンティティが供給者リストエリア１１３２に追加可能とする追加アイコン１１３０、及びユーザが供給者リストエリア１１３２から選択されたエンティティの一又は複数を削除可能とする削除アイコン１１３４を備える。供給者エリア１１１２は、ユーザが供給者のリストに以前リストアップされていない供給者を追加可能にするアイコン１１３６も含む。制御タグエリア１１１４は、複数のタグ１１３８を含み、これらは２の状態ボタンをクリックすることにより選択される。エントリーフィールド１１４０により、発行者は、発行されるコンテンツに関連付けられた一又は複数のフリーテキストのタグ（たとえば、発行者作成タグ）を入力できる。
【００４２】
操作において、ユーザは、メニュー１１０８を使用して、選択されたコンテンツの種類を識別することができる。ユーザは、データを選択する及び／又はデータを規制エリア１１１０のアイコン又はデータファイルに追加することにより、もしあれば、何の制限がコンテンツに関連付けられるかを識別できる。ユーザは、供給者エリア１１１２のアイコンを選択することにより、もしあれば、どの供給者がコンテンツに関連付けられるべきかを選択することができる。ユーザは、データを選択する及び／又はデータを制御タグエリア１１１４のアイコン又はデータフィールドに追加することにより、もしあれば、どの制御タグがコンテンツに関連付けられるかを選択することができる。タグが識別された後に、ユーザは次のアイコン１１４２を選択することができる。別の方法では、ユーザは、戻るのアイコン１１４４を選択して図１０の実施例のユーザインターフェース１０００に戻ることができ、または、もしユーザがコンテンツの発行に進まないことを選ぶなら、キャンセルアイコン１１４６を選択することができる。
【００４３】
図１２は、ここで開示される実施例を実施するために使用することができる、別の実施例のユーザインターフェース１２００を示す。図１２の実施例のユーザインターフェース１２００は、コンテンツが発行されるのに先立って、情報確認を可能にする。実施例のユーザインターフェース１２００は、選択されたコンテンツ１２０２、保存日１２０４、規制１２０６、割り当てられた権利（たとえば、コンテンツ所有者、アクセス権）１２０８、及びタグ（たとえば、制御タグ、供給者タグ、フリーテキストタグ）１２１０を識別する。リストアップされた情報が正確であると確認すると、ユーザは発行アイコン１２１２を選択することができる。別の方法では、ユーザは、図１１の実施例のユーザインターフェース１１００に戻るために戻るのアイコン１２１４を選択することができ、または、もしユーザがコンテンツ発行に進まないことを選ぶなら、キャンセルアイコン１２１６を選択することができる。
【００４４】
図１３は、図１のアクセス装置１０６、１０８及び／又は１１０、システム１０４及び／又はデータソース１０２、又はここで開示される任意の実施例を実施するための、図６の命令を実行可能な実施例のプロセッサシステム１３００のブロック図である。図１３に示すように、プロセッサシステム１３００は、相互接続バス１３０４に結合されたプロセッサ１３０２を備える。プロセッサ１３０２は、任意の適するプロセッサ、プロセシングユニット又はマイクロプロセッサとしてもよい。図１３に示されるように、プロセッサシステム１３００は、マルチプロセッサシステムとすることができ、ゆえに、プロセッサ１３０２と同一の又は類似であり、且つ相互接続バス１３０４に通信的に結合された一又は複数の追加的なプロセッサを含むことができる。
【００４５】
図１３のプロセッサ１３０２は、チップセット１３０６に結合され、メモリコントローラ１３０８及び入力／出力（Ｉ／Ｏ）コントローラ１３１０を含む。周知のとおり、チップセットは、複数の汎用及び／又は特殊用途レジスタ、タイマーなどに加え、チップセット１３０６に結合される一又は複数のプロセッサによりアクセス可能な又は使用されるＩ／Ｏ及びメモリ管理機能を一般的に提供する。メモリコントローラ１３０８は、プロセッサ１３０２（又は、複数のプロセッサがある場合には、複数のプロセッサ）がシステムメモリ１３１２及び大量記憶メモリ１３１４にアクセス可能な機能を実行する。
【００４６】
システムメモリ１３１２は、たとえば、スタティックランダムアクセスメモリ（ＳＲＡＭ）、ダイナミックランダムアクセスメモリ（ＤＲＡＭ）、フラッシュメモリ、読出し専用メモリ（ＲＯＭ）など、任意の所望の種類の揮発性及び／又は不揮発性メモリを備えることができる。大量記憶メモリ１３１４は、ハードディスクドライブ、光ドライブ、テープ記憶装置などを含む任意の所望の種類の大量記憶装置を備える。
【００４７】
Ｉ／Ｏコントローラ１３１０は、プロセッサ１３０２が、Ｉ／Ｏバス１３２２を介して周辺機器入力／出力（Ｉ／Ｏ）装置１３１６及び１３１８並びにネットワークインターフェース１３２０と通信を可能にする機能を実行する。Ｉ／Ｏ装置１３１６及び１３１８は、たとえば、キーボード、ビデオディスプレー又はモニタ、マウスなどの任意の所望の種類のＩ／Ｏ装置とすることができる。ネットワークインターフェース１３２０は、プロセッサシステム１３００を別のプロセッサシステムと通信可能にする、イーサネット装置、非同期転送モード（ＡＴＭ）装置、８０２.１１装置、ＤＳＬモデム、ケーブルモデム、セルラーモデムなどとすることができる。
【００４８】
メモリコントローラ１３０８及びＩ／Ｏコントローラ１３１０がチップセット１３０６内の別個のブロックとして図１３に示されているが、これらのブロックにより実行される機能は、単独の半導体回路内に統合され、又は２以上の別個の統合された回路を使用して実行されうる。
【００４９】
コンテンツを発行する特定の実施例を先述したが、ここで開示される実施例は、より一般的に及び／又は異なる方法でも適用可能である。たとえば、ここで開示される実施例は、ユーザ及び／又はエンティティがデータ及び／又はコンテンツのカスタマイズを可能にする、及び／又は検索エンジン及び／又はシェアポイントのカスタマイズを可能にする。さらに、コンテンツのセキュリティ整備された配信を可能にするためにコンテンツへの権利の割り当てが先述されたが、ここで開示される実施例は、より一般的に及び／又は異なる方法でも適用可能である。たとえば、ここで開示される実施例は、メタデータ（たとえば、外部の、内部の）のコンテンツ（たとえば、一又は複数のファイル、ドキュメント、ＵＲＬ）などへの関連付けに適用可能であり、その分類、カテゴリー化及び／又は目標とされる検索結果が、ユーザの検索している関連コンテンツを提供可能とする。このようなコンテンツは、たとえば、著作権を有するデータ、初期のデザインデータ、プロトタイプデータ、プロジェクトデータに関連付けられてもよい。
【００５０】
さらに、いくつかの実施例の方法、装置及び製品がここで説明されてきたが、本特許の及ぶ範囲はこれに限定されない。そうではなく、本特許は、文字通り又は同等物の教義のもと、添付の請求の範囲に適正に含まれるすべての方法、装置及び製品の範囲に及ぶ。
【図１】
2017199390.tif 000003
【図２】
2017199390.tif 000004
【図３】
2017199390.tif 000005
【図４】
2017199390.tif 000006
【図５】
2017199390.tif 000007
【図６】
2017199390.tif 000008
【図７】
2017199390.tif 000009
【図８】
2017199390.tif 000010
【図９】
2017199390.tif 000011
【図１０】
2017199390.tif 000012
【図１１】
2017199390.tif 000013
【図１２】
2017199390.tif 000014
【図１３】
2017199390.tif 000015
【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
コンテンツの、セキュリティ整備されランク調整された検索のための方法であって、
コンテンツの選択を可能にする第１のユーザーインターフェース上での第１の選択肢の提示に対して、前記コンテンツの選択を受信すること、
第２のユーザーインターフェース上での複数の第２の選択肢の提示に対して、前記コンテンツに割り当てられる権利の選択を受信することであって、
前記第２の選択肢は前記コンテンツに関連付けられる権利に対応し、
前記権利は前記コンテンツへのアクセスが与えられるべきグループと関連付けられるように割り当てられて、セキュリティ整備された検索を可能にする、受信すること、
第３のユーザーインターフェース上での複数の第３の選択肢の提示に対して、前記コンテンツに割り当てられる、前記権利とは異なる一又は複数のタグの選択を受信することであって、
前記第３の選択肢は前記コンテンツに関連付けられるタグに対応し、
前記タグは制御タグ、供給者タグ及び前記コンテンツに関連付けられる規制を表すタグを含み、
前記第３の選択肢の前記選択に対して、前記タグは前記コンテンツに割り当てられて、少なくともコンテンツ配信、コンテンツ識別又はコンテンツ検索を可能にし、
前記タグは、１または複数の前記供給者タグ、前記制御タグまたは前記規制に関連付けられて、ランク調整された検索を可能にする、受信すること、
前記コンテンツを、前記割り当てられる権利及びタグと関連付けること、
前記コンテンツを走査し、前記走査されたコンテンツに応じて、また基づいて、前記コンテンツを一意に識別する第１のコンテンツ関連識別子を生成すること、
前記第１のコンテンツ関連識別子を他のコンテンツ関連識別子と比較することであって、前記他のコンテンツ関連識別子は、以前に発行されたコンテンツを一意に識別し、該比較は、前記第１のコンテンツ関連識別子が実質的に他のコンテンツ関連識別子の一つと同じであるかどうかどうかを決定し、前記コンテンツが以前に発行されていないことを決定する、比較すること、
前記第１のコンテンツ関連識別子が実質的に同じであると決定されたとき、又は、前記割り当てられるタグに基づいて前記コンテンツの制限が示されるときに、ユーザーに通知すること、及び
前記コンテンツがまだ発行されていないと判定されたとき、前記コンテンツを発行すること、
を含む、方法。
【請求項２】
前記グループは、前記コンテンツにアクセス可能とされるコンテンツ所有者又は個人のうちの少なくとも一を含む、請求項１に記載の方法。
【請求項３】
前記コンテンツを、前記割り当てられる権利及びタグに関連付けることは、前記コンテンツのコンテキストにウエイトを置いた検索結果を可能にする、請求項１に記載の方法。
【請求項４】
前記コンテンツにアクセス可能とされるコンテンツ所有者、個人、又はグループの一又は複数の精度の確認を受信した後に、前記コンテンツが発行されるとする、請求項２に記載の方法。
【請求項５】
前記コンテンツにアクセス可能とされる前記グループは、エンティティのアメリカ人従業員、該エンティティの非アメリカ人従業員、該エンティティの非従業員、又は限定された配布リストから選択された個人のうちの一又は複数を含む、請求項２に記載の方法。
【請求項６】
少なくとも前記コンテンツ所有者又はコンテンツ発行者が前記コンテンツを修正することを可能にすることをさらに含む、請求項４に記載の方法。
【請求項７】
前記コンテンツ所有者、コンテンツ修正者、又はコンテンツ発行者のうちの一又は複数に基づき、コンテンツに索引をつけることをさらに含む、請求項４に記載の方法。
【請求項８】
前記規制は、一又は複数の輸出規制を含む、請求項１に記載の方法。
【請求項９】
前記コンテンツ関連識別子及び一又は複数の他のコンテンツ関連識別子を前記選択されたコンテンツ及び前記他のコンテンツと関連付けることにより、前記コンテンツを前記他のコンテンツとグループ化することを含む、請求項１に記載の方法。
【請求項１０】
前記コンテンツが対象とされる前記規制に基づき、個人又はグループによる前記コンテンツへのアクセスを実質的に阻止することを含む、請求項１に記載の方法。
【請求項１１】
コンテンツの選択を可能にする第１のユーザーインターフェース上での第１の選択肢の提示に対する、前記コンテンツの選択を受信し、
第２のユーザーインターフェース上での複数の第２の選択肢の提示に対する、前記コンテンツに割り当てられる権利の選択を受信し、
前記割り当てられる権利は、前記コンテンツにアクセス可能とされるコンテンツ所有者、個人又は団体のうちの少なくとも１つを含み、
前記第２の選択肢は前記コンテンツに関連付けられる権利に対応し、
前記権利は前記コンテンツへのアクセスが与えられるべきグループと関連付けられるように割り当てられて、セキュリティ整備された検索を可能にし、及び
第３のユーザーインターフェース上での複数の第３の選択肢の提示に対する、前記コンテンツに割り当てられる、前記権利とは異なる一又は複数のタグを受信し、
前記割り当てられるタグは、前記コンテンツが対象とされる規制、供給者タグ、制御タグ、又は個人のタグのうちの一又は複数に関連付けられ、
前記第３の選択肢は前記コンテンツに関連付けられるタグに対応し、
前記タグは制御タグ、供給者タグ及び前記コンテンツに関連付けられる規制を表すタグを含み、
前記第３の選択肢の前記選択に対して、前記タグは前記コンテンツに割り当てられて、少なくともコンテンツ配信、コンテンツ識別又はコンテンツ検索を可能にし、
前記タグは、１または複数の前記供給者タグ、前記制御タグまたは前記規制に関連付けられて、ランク調整された検索を可能にする、
アクセス装置、及び
前記コンテンツを、前記割り当てられる権利及び一又は複数のタグに関連付けて、前記コンテンツのセキュリティ整備されランク調整された検索結果を返すことを可能にするプロセッサを備え、
前記プロセッサは、
前記コンテンツを一意に識別する、コンテンツ関連識別子を決定し、
前記コンテンツ関連識別子を、以前に発行されたコンテンツを一意に識別する他のコンテンツ関連識別子と比較して、重複発行を防止するため、該コンテンツが以前に発行されたかどうかを決定し、
前記コンテンツ関連識別子が実質的に同じであると決定されたとき、又は、前記割り当てられるタグに基づいて前記コンテンツの制限が示されるときに、ユーザーに通知し、
前記コンテンツがまだ発行されていないと判定されたとき、前記コンテンツの発行を可能にするように構成された、装置。
【外国語明細書】
2017199390000001.pdf